(57)【要約】複数の基地局（１１２）と通信可能に接続された基地局制御装置を有する基地局サブシステム（１１０）と、基地局サブシステム（１１０）に接続されたユーザアクセス可能な移動無線通信装置設定制御サーバ（１４０）と、ユーザアクセス可能な移動無線通信装置設定制御サーバまたは基地局サブシステム接続され得るネットワーク放送発信補助基地局（１３０）とを有する、セルラー通信ネットワークに関する。移動局は、移動局が補助基地局をモニタする時に、補助基地局に関する設定情報を用いて設定される。【特許請求の範囲】
【請求項１】
移動無線通信装置における方法において、
通信ネットワーク放送チャネル上で補助基地局から同期前情報を受信するステップと、
受信された前記同期前情報に基づいて前記補助基地局の独自の基地局アイデンティティを決定するステップとを備え、
前記同期前情報は、前記補助基地局を独自に識別するために充分な情報を超えない情報を有する方法。
【請求項２】
請求項１に記載の方法において、異なる基地局に接続保留している間に、前記補助基地局に関する設定情報によって、前記移動無線通信装置を設定するステップを備える方法。
【請求項３】
請求項１に記載の方法において、前記補助基地局を再選択することなく、前記補助基地局の前記独自の基地局アイデンティティに関する設定情報によって、前記移動無線通信装置を設定するステップを備える方法。
【請求項４】
請求項３に記載の方法において、前記移動無線通信装置の呼出モードを設定することによって、前記移動無線通信装置を設定するステップを備える方法。
【請求項５】
請求項３に記載の方法において、前記移動無線通信装置を使用不能にすることによって、前記移動無線通信装置を設定するステップを備える方法。
【請求項６】
請求項１に記載の方法において、前記同期前情報から基地局識別符号を復号化することによって、前記補助基地局の前記独自の基地局アイデンティティを決定するステップを備え、前記同期前情報は同期チャネルおよび周波数補正チャネル情報を有する方法。
【請求項７】
請求項１に記載の方法において、前記補助基地局のスクランブル符号を決定することによって、前記補助基地局の前記独自の基地局アイデンティティを決定するステップを備える方法。
【請求項８】
請求項１に記載の方法において、前記移動無線通信装置上に記憶された、前記補助基地局の前記独自の基地局アイデンティティに関する設定情報によって、前記移動無線通信装置を設定するステップを備える方法。
【請求項９】
請求項１に記載の方法において、前記移動無線通信装置によって受信されたセットアップメッセージ中の設定情報によって、前記移動無線通信装置を設定するステップを備える方法。
【請求項１０】
請求項９に記載の方法において、ページング要求を受信することに応じて、前記補助基地局の前記独自の基地局アイデンティティを発信するステップと、前記補助基地局の前記独自の基地局アイデンティティの送信後に、前記設定情報を有する前記セットアップメッセージを受信するステップとを備える方法。
【請求項１１】
移動無線通信装置における方法において、
複数の基地局からネットワーク放送チャネル上で基地局情報を受信するステップと、
設定情報に関する基地局を再選択することなく、前記基地局に関する前記設定情報によって前記移動無線通信装置を設定するステップとを備える方法。
【請求項１２】
請求項１１に記載の方法において、
別の基地局に接続保留している間に、前記基地局に関する前記設定情報によって前記移
動無線通信装置を設定するステップを備える方法。
【請求項１３】
請求項１１に記載の方法において、
隣接セル割当情報を受信するステップと、
前記設定情報に関する前記基地局が前記隣接セル割当情報の一部である場合にのみ、前記設定情報に関する前記基地局に関する前記設定情報によって、前記移動無線通信装置を設定するステップとを備える方法。
【請求項１４】
請求項１３に記載の方法において、前記設定情報に関する前記基地局がもはや前記隣接セル割当情報の一部でない時に、前記移動無線通信装置を再設定するステップを備える方法。
【請求項１５】
請求項１１に記載の方法において、前記基地局のうちの少なくとも１つは補助基地局であることと、
隣接セル割当情報を受信するステップと、
前記補助基地局のアイデンティティを決定するステップと、
前記補助基地局の前記アイデンティティが前記隣接セル割当情報の一部である場合にのみ、前記補助基地局に関する設定情報によって、前記移動無線通信装置を設定するステップとを備える方法。
【請求項１６】
請求項１１に記載の方法において、前記移動無線通信装置上に記憶される、前記基地局のアイデンティティに関する設定情報によって、前記移動無線通信装置を設定するステップを備える方法。
【請求項１７】
請求項１１に記載の方法において、前記移動無線通信装置によって受信されたセットアップメッセージ中の設定情報によって、前記移動無線通信装置を設定するステップを備える方法。
【請求項１８】
請求項１７に記載の方法において、ページング要求を受信することに応じて前記基地局のアイデンティティを発信するステップと、前記基地局の前記アイデンティティを送信後、前記設定情報を有する前記セットアップメッセージを受信するステップとを備える方法。
【請求項１９】
請求項１１に記載の方法において、前記移動無線通信装置の呼出モードを設定することによって前記移動無線通信装置を設定するステップを備える方法。
【請求項２０】
セルラー通信ネットワークにおける方法において、
ユーザがプログラム可能な移動無線通信装置設定サーバから、補助基地局のための移動無線通信装置設定情報を受信するステップと、
前記移動無線通信装置設定情報が受信された前記補助基地局のための基地局情報を有する、隣接セル割当情報を発信するステップと、
通信ネットワーク放送チャネル上で、前記移動無線通信装置設定情報が受信された前記補助基地局から独自の識別情報を発信するステップとを備える方法。
【請求項２１】
請求項２０に記載の方法において、前記ネットワーク放送チャネル上で、前記補助基地局のアイデンティティの独自のアイデンティティが入手され得る同期前情報を超えない情報を、前記補助基地局から発信するステップを備える方法。
【請求項２２】
請求項２０に記載の方法において、前記移動無線通信装置設定情報が受信された前記補助基地局のための独自のアイデンティティ情報を有する、隣接セル割当情報を発信するステップを備える方法。
【請求項２３】
請求項２０に記載の方法において、
移動無線通信装置をページングするステップと、
ページング後に、ページングされた前記移動無線通信装置から補助基地局アイデンティティを受信するステップと、
前記補助基地局アイデンティティを受信後に、移動無線通信装置設定情報を有するセットアップメッセージを、ページングされた前記移動無線通信装置へ送信するステップとを備え、
前記移動無線通信装置設定情報が受信された前記補助基地局に対応して受信される、前記補助基地局アイデンティティを有する方法。
【請求項２４】
請求項２０に記載の方法において、前記移動無線通信装置設定情報が受信された前記補助基地局のための情報と前記隣接セル割当情報とが共に含まれる期間に対応する、少なくともある期間の間、前記移動無線通信装置設定情報が受信された前記補助基地局の発信出力を制御するステップを備える方法。
【請求項２５】
請求項２０に記載の方法において、通信ネットワーク放送チャネル上で前記補助基地局から独自の識別情報を発信することによって、前記移動無線通信装置設定情報が受信された前記補助基地局を識別するステップを備える方法。
【請求項２６】
請求項２５に記載の方法において、前記補助基地局から同期および周波数補正情報のみを発信するステップを備え、前記同期および周波数補正情報を含むチャネル上で符号化される前記補助基地局アイデンティティを有する方法。
【請求項２７】
セルラー通信ネットワークにおいて、
複数の基地局と通信可能に接続された基地局制御装置を有する基地局サブシステムと、
前記基地局サブシステムと接続されたユーザアクセス可能な移動無線通信装置設定制御サーバと、
前記ユーザアクセス可能な移動無線通信装置設定制御サーバまたは前記基地局サブシステムのうちの１つと接続された補助基地局とを有し、
前記補助基地局は同期前情報および独自のアイデンティティ情報を超えない情報を発信するセルラー通信ネットワーク。
【請求項２８】
請求項２８に記載のセルラー通信ネットワークにおいて、前記補助基地局は同期および周波数補正チャネル情報発信基地局であるセルラー通信ネットワーク。
【請求項２９】
請求項２７に記載のセルラー通信ネットワークにおいて、前記ユーザアクセス可能な移動無線通信装置設定制御サーバは、ユーザアクセス可能な設定制御ウェブサイトを有するセルラー通信ネットワーク。
【請求項３０】
移動無線通信装置における方法において、
通信ネットワーク放送チャネル上で補助基地局から情報を受信するステップと、
前記補助基地局から受信された前記情報に基づいて、前記補助基地局の独自のアイデンティティを決定するステップと、
前記補助基地局を再選択することなく、前記補助基地局の前記独自のアイデンティティを前記ネットワークへ発信することによって、前記移動無線通信装置の位置を通信するステップとを備える方法。
【請求項３１】
請求項３０に記載の方法において、別の基地局に接続保留している間に前記補助基地局から情報を受信するステップと、
別の補助基地局に接続保留している間に前記補助基地局の前記独自のアイデンティティを決定するステップと、
別の補助基地局に接続保留している間に前記補助基地局の前記独自のアイデンティティを前記ネットワークへ発信するステップとを備える方法。
【発明の詳細な説明】
【技術分野】
【０００１】
本発明は一般に無線通信に関し、より詳細には、ネットワーク放送情報に基づいて移動無線通信装置の設定を動的に変更するための、無線通信装置、ネットワークインフラストラクチャ、および方法に関する。
【背景技術】
【０００２】
無線通信電話機利用の地球規模の広がりによって、可聴の呼出音および会話に起因する環境騒音レベルの増大が引起こされている。これらは多くの場所、例えば、図書館、教室、礼拝所、職場、テレビ撮影所、劇場およびコンサートホール、法廷および他の行政機関の建物等では、しばしば散漫的であり、次第に歓迎されないものとなっている。
【０００３】
環境騒音または潜在的なラジオ周波数干渉の懸念のために、料理店、行政機関の建物、商用航空機、病院、および他の地域を含む多くの環境で、セルラー電話機の使用は禁止または制限されている。しかしながら、これらの制限の遵守は一般に自発的なものである。通常は、ユーザセットアップメニューを通じて、または特定のユーザプロファイルを選択することによって、ユーザは手動で電話機を使用不能にするか、呼出音量を減少するか、または音が鳴る代わりに振動するように電話機を設定しなければならない。
【０００４】
カナダ政府は最近「無線通信法（Radio Communications Act）」、通達番号ディージーティーピー（ＤＧＴＰ）−００２−０２、を発布し、公衆安全および法執行目的を越える、ニッチ市場および位置特定用途向けの無線電話機妨害装置の認可拡大案に対する、産業界および一般の意見を求めている。
【０００５】
例えば、ブルートゥース発信機からセルラー電話機上のブルートゥース可用マイクロチップへ制御信号を発信することによって、セルラー電話機で音が鳴る機能を使用不能にする、情報処理ビーコンの使用を含む幾つかの無線妨害技術が周知である。
【０００６】
「その詳細設定を変更可能な電話機、および着呼電話機の設定を変更可能な電話機（Telephone Whose Setting Details Can Be Changed, And Telephone Capable of Changing Settings Of Called Telephone）」と題する特許文献１には、別のセルラー電話機または地上線電話から、例えば鳴る音量および呼出モード等、セルラー電話機の設定を遠隔から制御することが開示されている。
【特許文献１】米国特許第６，３５１，６３９号明細書
【発明の開示】
【発明が解決しようとする課題】
【０００７】
しかしながら特許文献１では、設定が変更されている電話機のユーザは、遠隔の電話機からの新たな設定を制限または拒絶する能力を有する。
【課題を解決するための手段】
【０００８】
本発明は、ネットワーク放送情報に基づき設定を操作する移動無線通信装置、即ち移動局を、動的に制御することを可能にするアーキテクチャおよび方法と、ネットワーク放送情報を発信するためのインフラストラクチャと、ネットワーク放送情報に基づき装置を設定するための移動無線通信装置における方法とに関する。
【発明を実施するための最良の形態】
【０００９】
本発明の種々の態様、要件、および利点は、以下に説明される添付の図面を伴う、続く
発明の詳細な説明を入念に考慮することによって、当業者にはより完全に明らかになるであろう。
【００１０】
図１では、基地局の発信機と通信する基地局制御装置を有する基地局システム（ＢＳＳ）１１０を一般に有する、典型的なジーエスエム（ＧＳＭ）ネットワーク１００が示される。１つの基地局である、基地局１１２のみが図示されている。典型的なＢＳＳは、移動交換局およびビジタロケーションレジスタ（ＭＳＣ／ＶＬＲ）１１４、およびサービングジーピーアールエスサポートノード（ＳＧＳＮ）１１６に接続されている。ＳＧＳＮ１１６はゲートウェイジーピーアールエスサポートノード（ＧＧＳＮ）１１８、およびホームロケーションレジスタ（ＨＬＲ）１２０に接続されている。図１に図示されるように、ＭＳＣ／ＶＬＲ１１４はＳＧＳＮ１１６、およびＨＬＲ１２０に接続されており、ＨＬＲ１２０はまたＧＧＳＮ１１８に接続されている。
【００１１】
典型的なネットワークの実施態様は、グローバルシステムフォーモバイルコミュニケーション（Global System for Mobile Communication）（ＧＳＭ）およびユニバーサル移動通信システム（Universal Mobile Telecommunications System）（ＵＭＴＳ）の機構に基づいているが、当業者には明らかなように、本発明はまた他のネットワーク、例えば、ティーディエムエー（ＴＤＭＡ）およびダブリュ−シーディーエムエー（Ｗ−ＣＤＭＡ）無線通信ネットワーク等にも適用される。
【００１２】
図２では、移動無線通信装置、即ち移動局（ＭＳ）は、通信ネットワーク放送チャネル上で基地局から発信される基地局情報２１０を受信する。ブロック２２０にて、ＭＳは受信された情報に基づいて、基地局情報を発信する基地局のアイデンティティを決定する。
【００１３】
典型的なＧＳＭ通信ネットワークでは、基地局は放送制御チャネル（ＢＣＣＨ）上で、一連の周波数補正バーストおよび同期チャネル情報を発信する。ＧＳＭシステムでは、移動無線通信装置は同期バースト情報を復号化することによって、独自の基地局アイデンティティ符号を決定する（ＢＳＩＣ）。ＴＤＭＡネットワークはまた、基地局アイデンティティが入手され得る、同期および周波数補正情報を発信する。Ｗ−ＣＤＭＡ通信ネットワークでは、基地局のセルダウンリンクスクランブル符号を決定することによって、ＭＳは基地局を識別する。
【００１４】
ＭＳは、ＭＳがモニタすべき隣接する基地局または他の信号源を識別する、隣接セル割当情報を受信する。通常、隣接セル割当情報は、ＭＳがその時点で接続保留されている（camped）セルの基地局、即ちネットワークとの通信がアクティブに使用されてはいないが、移動局に発呼が向けられた場合にはそれを通じてページング信号が送信される「サービングセル」と同期されているセルの基地局から発信される。異なる通信プロトコルは隣接セル割当情報を異なって識別し、提供される情報の構造は多様である。一般にＭＳは、隣接セル割当情報に含まれない基地局からのネットワーク放送情報を無視する。
【００１５】
本発明のある実施態様では、基地局から送信されるネットワーク放送情報に基づいて、ＭＳがリージョンに進入する時にＭＳは設定される。幾つかの実施態様では、ＭＳがそのリージョンを退出する時にＭＳの設定は以前の設定に復帰するが、しかしながらまた、以前の設定と異なる設定であるとしてもよい。リージョンには１以上の基地局セルが含まれ得る。好適な実施態様では、以下でより完全に説明されるように、ＭＳが接続保留されてはいないがＭＳの受信圏内にある基地局によって、ネットワーク放送メッセージが発信されるセルの、そのサブリージョンにＭＳが進入した時に、ＭＳは設定される。サブリージョンにはセルのエリアよりも狭いエリアが含まれるが、しかしながら、例えばサブリージョンがセルの境界上にある場合のように、サブリージョンは１より多くのセルのエリアにわたるものであってもよい。幾つかの実施では、例えばＭＳが別の基地局に接続保留して
いる、または接続保留されている間に、ある基地局の基地局識別に関するＭＳ設定情報または命令に基づいて、その基地局を再選択することなく、ＭＳは設定される。
【００１６】
ある実施態様では、隣接セル割当リスト上の基地局に対して基地局アイデンティティが獲得され得る基地局情報をＭＳが受信する時に、リージョンまたはサブリージョンへの進入が生じる。基地局情報をモニタするために充分なだけの出力を持つ基地局情報をＭＳがもはや受信しない時に、リージョンまたはサブリージョンからの離脱が生じる。隣接セル割当情報へ基地局を追加、または隣接セル割当情報から基地局を除去した際に、物理的に移動することなく、ＭＳはまた、リージョンに進入、またはリージョンから離脱すると見なされ得る。隣接セル割当情報へ追加、または隣接セル割当情報から除去される時に、ＭＳが基地局信号の範囲内にあると仮定すると、このことによって、ＭＳが基地局発信のモニタを開始する、または停止することが促される。
【００１７】
図２中、ブロック２３０では、例えばＭＳ設定情報に関する基地局アイデンティティのリストと、モニタされる基地局のアイデンティティとの比較によって等、ＭＳ設定情報がＭＳによってモニタされる基地局と関連しているか否かで決定がなされる。図２中、ブロック２４０では、隣接セル割当情報に含まれる基地局に関する設定情報によって、ＭＳが設定される。設定情報を有するＭＳによってモニタされる基地局と関連するため、および設定情報をＭＳに通信するための典型的な方式は、以下で更に説明される。
【００１８】
ある用途では、ＭＳが特定のリージョンに進入する時にＭＳの呼出モード設定は設定され、ＭＳがそのリージョンを離脱する時に、ＭＳは再設定される。ある詳細な実施態様では、例えば、呼出モードは可聴呼出から振動呼出へ変更される。別の詳細な実施態様では、特定のリージョンにＭＳが進入または退出する時に、可聴音量は変更される。他の実施態様では、リージョンに進入、またはそこから離脱した際に、移動無線通信装置は使用不能にされ得る。より一般には、基地局に関連し、移動局によって相互に識別されサポートされる指定された設定に従って、ＭＳは任意の方法で設定されてよく、その実施例は更に以下で説明される。典型的なＭＳ設定には、ＭＳ操作モード設定、ＭＳアプリケーションソフトウェアの操作および設定、ＭＳでの情報の表示または再生、例えば視覚広告および発信呼に関するサービスプロバイダチャイムの使用等、が含まれる。
【００１９】
図１において、ある実施態様では、少なくともＭＳが補助基地局のアイデンティティを決定するために充分なだけのネットワーク放送情報を発信する補助基地局（ＡＢＳ）１３０を、セルラー通信ネットワークは有し、幾つかの実施態様では、ＭＳが補助基地局に接続保留することを可能にするために充分なだけの情報を有さない。好適には、補助基地局は同期前情報（pre-synchronization information ）をネットワーク放送チャネル上で発信する。例えば同期前情報を受信する移動局によって等、これによって補助基地局の独自のアイデンティティが決定され得る。
【００２０】
好適には、補助基地局は独自のアイデンティティ、例えば、ＧＳＭの基地局識別符号（Base Station Identity Code）（ＢＳＩＣ）を有する。典型的なＧＳＭ通信ネットワークでは、同期前情報には、周波数補正チャネル（Frequency Correction Channel）（ＦＣＣＨ）および同期チャネル（Synchronization Channel ）（ＳＣＨ）が含まれる。これらは、基地局識別符号（ＢＳＩＣ）が符号化される共通制御チャネル（Common Control Channel）（ＣＣＣＨ）のタイムスロット０および１に対応する。
【００２１】
ある実施態様では、以下に説明されるように、移動局が補助基地局をモニタすることが好適な際にネットワークによって送信される隣接セル割当リストには、補助基地局のための情報が含まれる。ＧＳＭ通信システムでは、割当情報は放送制御チャネル（Broadcast Control Channel ）割当リスト（別名、ビーエー−リスト（BA-list ））として周知であ
る。
【００２２】
ある補助基地局からの基地局情報をＭＳが受信および識別する時、その補助基地局と関連して、また多くの実施においてはその補助基地局を再選択することなく、ＭＳは移動無線通信装置設定情報によって設定される。移動無線通信装置設定情報は、設定情報または設定命令とも称する。幾つかの実施態様では、補助基地局の独自のアイデンティティは設定情報と関連している。ＭＳが補助基地局に接続保留すること、または補助基地局を再選択することは一般に不必要であり、好適な実施態様では望ましくないことから、ＭＳは通常、異なる基地局に接続保留している、または接続保留されている間に、補助基地局に関する設定情報によって再設定される。
【００２３】
ＭＳが受信範囲内にあり、設定情報と関連する補助基地局によって発信されるネットワーク放送情報をモニタしている条件では、設定情報と関連する補助基地局が隣接セルリスト上にある時に、ＭＳは再設定される。設定情報を指定する補助基地局が隣接セルリストから除去された時、またはＭＳが補助基地局の発信範囲を越えて移動した時、例えば、ＭＳが補助基地局をモニタするには補助基地局信号強度が低すぎる時に、ＭＳは再設定される。
【００２４】
好適には補助基地局は高価でなく、寸法的に小さい。多くの用途では補助基地局は比較的低い出力を有し、受信可能範囲は制限されているが、他の実施態様では、広範なエリアに渡り発信するための高い出力を有してもよい。幾つかの実施態様では、以下で更に説明されるように、例えばネットワークから、またはユーザまたは第三者によって、補助基地局発信出力は調節可能である。幾つかの実施態様では、例えばネットワークから、またはユーザまたは第三者によって、補助基地局はまた出力の入切を行われ得るが、他の実施態様では補助基地局は常に発信している。
【００２５】
隣接セル割当リスト上の補助基地局の編入は、上述のように、補助基地局によって発信されるネットワーク放送情報をＭＳがモニタすることを促す。従って少なくとも幾つかの実施では、遠隔出力レベル制御または入切制御用に何か他の受信機が配置され得るが、補助基地局はネットワーク受信機を必要としない。
【００２６】
補助基地局の指定された範囲内で、建物所有者が任意のＭＳの設定を制御することを可能にするために、補助基地局は建物および他のエリアに配置され得る。好適には、補助基地局によって発信されるネットワーク放送周波数は、通信ネットワーク操作者によって認可され、割当てられる。以下で更に説明されるように、ＭＳ操作を制御することが好適な場所であること次第で、顧客の命令に従って、好適には補助基地局はセルラー操作者によって組込および操作される。従って、補助基地局放送周波数を操作する権利を法律上誰が有するかについて、大抵の国の場合には問題にならない。
【００２７】
幾つかの実施態様では、独自の補助基地局アイデンティティ情報に関するＭＳ設定情報はＭＳ上に記憶される。この情報は、サービスプロバイダによって提供されるネットワーク等からダウンロードされてもよい。操作中、ＭＳが再設定されるべきか否かを決定するために、ＭＳ上に記憶された基地局情報と、モニタされる基地局のアイデンティティとを相互に参照する。従って、ＭＳはモニタされる基地局、例えば補助基地局、のアイデンティティに関連する、ＭＳ上に記憶された任意の設定情報に従い設定される。それと関連する設定情報を持つ１より多くの基地局をＭＳがモニタする実施では、ＭＳ上に記憶された優先度情報は、コンフリクトの生じる優先度を有する設定情報を決定するために用いられ得る。
【００２８】
別の代替の実施態様では、設定情報または命令は、ネットワークによってＭＳへ提供さ
れる。この実施態様では、ＭＳは少なくとも、ＭＳ設定情報と関連しているとして認識されている、モニタされる基地局のアイデンティティをネットワークへ通信し、ネットワークはＭＳに任意の対応する設定情報を発信する。ＭＳは自身の上に、任意の補助基地局を含む、ネットワークにおいてＭＳ設定情報が関連する基地局アイデンティティのリストを記憶することができ、従ってＭＳは、設定情報が関連しているそれらの基地局アイデンティティのみを発信することが可能である。この実施態様では、ＭＳ設定情報はネットワークから生じ、そのためＭＳ上の各補助基地局の設定情報を記憶する必要は取除かれている。
【００２９】
図３に示されるように、典型的なＧＳＭ通信ネットワークでは、ステップ３１０にて、ネットワークはＭＳへのページング要求を送信する。ＭＳの着信呼では、ＭＳはランダムアクセスチャネル（R andom Access Channel ）（ＲＡＣＨ）上で送信されるチャネル要
求３２０で応答する。専用の制御チャネル（第２層）接続３３０が確立され、ＭＳ認証３４０は、呼のセットアップ３５０に先立って生じる。
【００３０】
ＧＳＭ通信ネットワークの実装に適する、ある典型的な実施態様では、セットアップメッセージ３５２中で、ＭＳ設定情報がネットワークからＭＳへ発信される。設定情報をネットワークから要求し得る基地局アイデンティティは、ＭＳチャネル要求を用いて、または呼のセットアップに先立つ何か他の通信の間に、ネットワークへ送信され得る。これに代えて、何か他のメッセージまたは通信を経由して、ネットワークが設定情報を発信してもよい。
【００３１】
図３にはまた、呼確認３６０、割当３７０、呼出３８０、接続および肯定応答３９０、およびデータ交換３９２を含む、呼のセットアップ後に生じるネットワークとＭＳ間との他の通信も図示されている。
【００３２】
図４には、典型的な呼セットアップメッセージの８ビット部分４００が図示されているが、特定のＭＳ設定用にビットを指定することによって、このメッセージが符号化されてもよい。テーブル４１０には、異なるビットの組合せで設定され得る幾つかのＭＳ呼出モードが図示されており、このビットの組合せは、対応する呼出パターンの命令としてＭＳによって認識される。これより多いまたは少ないビットを用いる他の方式もまた実施され得る。他の実施態様では、ビットは呼出モード以外の設定にも対応し得る。典型的な実施態様によると、セットアップメッセージ中の符号化された設定情報を解釈または復号化するため、および符号化された設定をＭＳ上で実施するためのソフトウェアをＭＳは含む。
【００３３】
ある実施態様では、ユーザアクセス可能なＭＳ設定制御サーバは、例えばユーザアクセス可能なウェブサイト経由で、指定されたエリアのＭＳの活動を通じてＭＳ設定制御を確立することを、ユーザまたはＭＳ設定制御加入者に可能にさせるための、基地局サブシステムに接続されている。例えば、博物館管理者、司書、劇場管理者、教会職員、病院管理者、航空会社職員等のユーザは、１以上の補助基地局の発信範囲内である局所エリアにおいて、ＭＳの操作を制御することを所望している。図１の典型的なＧＳＭ通信ネットワークの実装においては、例えば、エーシー（ＡＣ）エイチティティピー（ＨＴＴＰ）サーバ１４０および制御サポートゲートウェイ（ＣＳＧ）１４２は、ＭＳＣ／ＶＬＲ１１４および制御センター（ＣＣ）１５０によって、ＢＳＳ１１０に接続されている。一般にユーザは、インターネットまたは何か他のネットワークを通じて、またはダイヤルアップアクセスによってサーバ１４０にアクセスする。
【００３４】
図５には、例えば、氏名、住所、パスコードなどを含む、ユーザ認証用の複数のフィールド５１０を有する、典型的な呼出制御ウェブサイト５００が示される。データフィールド５２０は、呼出機能が制御される日付、またはその間の一連の日付をユーザが指定する
ことを可能にし、フィールド５３０は、例えば、午後７時と１０時との間の劇場公演予定の間等、対応する時間をユーザが指定することを可能にする。例えば、病院、および常にＭＳを使用不能にすることが好適である他の環境等では、ユーザインターフェースは異なっていてもよい。これに代えて、この情報はネットワーク操作者に手動で提供されてもよい。より長い期間を通じて予定されてもよい。
【００３５】
ある実施態様ではネットワークは、例えばユーザによって指定された制御時間の間に、隣接セル割当リスト上に自身の独自のアイデンティティを編入することによって、補助基地局を使用可能にし、その時間の間、移動局は補助基地局をモニタするように命令する。図１では、ＡＣＨＴＴＰサーバによってユーザ１０２から受信された情報は、制御システムゲートウェイ（Control System Gateway）（ＣＳＧ）１４２経由でＭＳＣ／ＶＬＲ１１４へ通信される。補助基地局情報が隣接セル情報と対応することを含めるために、ＭＳＣ／ＶＬＲ１１４はＢＳＳ１１０へ制御要求を送達する。
【００３６】
幾つかの実施態様では、本サービスのユーザは、ＭＳ設定が制御される範囲を選択または制御し得る。複数の補助基地局を使用可能にすることによって、および／または補助基地局の発信出力を変更することによって、この範囲が制御されてもよい。図５では、ユーザインターフェースは範囲選択入力５４０を有しており、ＭＳの制御される範囲をユーザが指定することを可能にしている。典型的な入力は補助基地局からの半径距離範囲に基づいているが、他の実施態様では、例えば、制御が望まれる建物または部屋または階を識別することによる等、何か他の指示に基づいてもよい。
【００３７】
図１では、例えばＢＳＳ１１０等のネットワークによって、または第三者１４４によって、または建物管理者などのユーザによって直接的に、補助基地局１３０は制御され得る。ユーザは、建物が出力消費を減少するために閉鎖される期間の間、１以上の基地局による発信を使用不能にすることを所望し得る。他の実施態様では、補助基地局は常に発信し、従って補助基地局がネットワークまたはサーバに接続されている必要はない。補助基地局の発信出力はまた、それらのエンティティのうちの任意の１つによって制御され得る。
【００３８】
例えばＧＰＳ、三角測量法等、他の位置特定方式では、時々ＭＳを位置特定することが不能である建物内部でＭＳを位置特定するためにも、補助基地局はまた有益である。詳細には、補助基地局の独自のアイデンティティをＭＳから受信した時に、ネットワークはＭＳを位置特定することが可能である。本方式によって、独自のアイデンティティを有する低コストの補助基地局は、例えば１以上の各階から等、職場の建物の随所で位置特定されることができる。
【００３９】
本発明およびその最良と思われる態様は、発明者らによる本発明の占有を設定し、かつ当業者らに本発明の実施および利用が可能であるように説明されているが、本明細書で開示された典型的な実施態様には多くの均等が在ること、かつ典型的な実施態様によってではなく付随する特許請求の範囲によって制限されるべき本発明の範囲および精神から逸脱することなく無数の修正および変更がなされ得ることは理解および認識されるであろう。
【図面の簡単な説明】
【００４０】
【図１】基地局を設定する移動無線通信装置を有する典型的な通信ネットワークのブロック図。
【図２】移動無線通信装置の設定用の典型的なプロセスの流れ図。
【図３】ネットワークと移動無線通信装置との間の典型的な通信プロトコルの進行図。
【図４】符号化された移動無線通信装置設定情報を含む典型的な呼セットアップメッセージの符号図。
【図５】本発明の典型的な実施による移動無線通信装置呼出モード設定を制御するための典型的なユーザインターフェースウェブサイトの画面図。
【図１】
2005528057.tif 000002
【図２】
2005528057.tif 000003
【図３】
2005528057.tif 000004
【図４】
2005528057.tif 000005
【図５】
2005528057.tif 000006
【国際調査報告】
2005528057.tif 000007